(57)【要約】【課題】  ピンタイプ保持器のピンの摩耗を抑制して保持器の寿命延長を図る。【解決手段】  軸方向に貫通する貫通孔３を有する複数のころ４が内輪と外輪との間に保持器１０を介して周方向に転動可能に配設され、前記保持器１０が、前記貫通孔３に挿通されて前記ころ４を回転可能に支持するピン２０と、前記ころ４の軸方向の両端側に配置されて前記ピン２０の両端部がそれぞれ結合される一対の環状側板７とを備えたころ軸受において、前記ピン２０の内部に潤滑剤を供給可能な中空部２１を設け、且つ該中空部２１に連通すると共に前記ピン２０と前記貫通孔３との間に開口する潤滑剤通路２２を設ける。【選択図】      図１
2006090521.tif 000002
【特許請求の範囲】
【請求項１】
軸方向に貫通する貫通孔を有する複数のころが内輪と外輪との間に保持器を介して周方向に転動可能に配設され、前記保持器が、前記貫通孔に挿通されて前記ころを回転可能に支持するピンと、前記ころの軸方向の両端側に配置されて前記ピンの両端部がそれぞれ結合される一対の環状側板とを備えたころ軸受において、
前記ピンの内部に潤滑剤を供給可能な中空部を設け、且つ該中空部に連通すると共に前記ピンと前記貫通孔との間に開口する潤滑剤通路を設けたことを特徴とするころ軸受。
【請求項２】
前記中空部に潤滑剤を補給可能としたことを特徴とする請求項１に記載したころ軸受。
【請求項３】
前記中空部を開閉可能に閉塞する栓部材を備えることを特徴とする請求項２に記載したころ軸受。
【発明の詳細な説明】
【技術分野】
【０００１】
本発明は、例えば製鉄設備や製紙機械等の高負荷容量を必要とされる回転支持部に用いられるころ軸受に関し、特に、ピンタイプ保持器を備えたころ軸受の改良に関する。
【背景技術】
【０００２】
従来のこの種のころ軸受としては、例えば図２１に示すように、軸方向に貫通する貫通孔３を有する複数のころ４が内輪１と外輪２との間にピンタイプ保持器５を介して周方向に転動可能に配設された円筒ころ軸受が知られている。ピンタイプ保持器５は、ころ４の貫通孔３に挿通されてころ４を回転可能に支持するピン６と、ころ４の軸方向の両端側に配置されてピン６の両端部がそれぞれ結合される一対の環状側板７とを備えており、円筒ころ軸受の他にも、円すいころ軸受や球面ころ軸受等の各種ころ軸受の保持器として広く利用されている。なお、図２１の例では、ピン６の先端部は環状側板７にテーパねじ結合され、ピン６の頭部は側板７に溶接により結合されており、符号８はこの溶接部を示している。
【発明の開示】
【発明が解決しようとする課題】
【０００３】
しかしながら、上記従来のころ軸受においては、ピン６が挿通されるころ４の貫通孔３とピン６との間に潤滑剤が入りにくく、そのためピン６が摩耗しやすくなって保持器５が早期に損傷に至るという問題がある。
本発明はこのような不都合を解消するためになされたものであり、保持器のピンの摩耗を抑制して保持器の寿命延長を図ることができるころ軸受を提供することを目的とする。
【課題を解決するための手段】
【０００４】
上記目的を達成するために、請求項１に係る発明は、軸方向に貫通する貫通孔を有する複数のころが内輪と外輪との間に保持器を介して周方向に転動可能に配設され、前記保持器が、前記貫通孔に挿通されて前記ころを回転可能に支持するピンと、前記ころの軸方向の両端側に配置されて前記ピンの両端部がそれぞれ結合される一対の環状側板とを備えたころ軸受において、
前記ピンの内部に潤滑剤を供給可能な中空部を設け、且つ該中空部に連通すると共に前記ピンと前記貫通孔との間に開口する潤滑剤通路を設けたことを特徴とする。
請求項２に係る発明は、請求項１において、前記中空部に潤滑剤を補給可能としたことを特徴とする。
請求項３に係る発明は、請求項２において、前記中空部を開閉可能に閉塞する栓部材を備えることを特徴とする。
【発明の効果】
【０００５】
本発明によれば、ピン内部に設けた中空部の潤滑剤を潤滑剤通路を介してピンと貫通孔との間に供給することができるので、ピンの摩耗が抑制されて保持器の寿命延長を図ることができる。
また、ピンの中空部を外部に開口させるか、或いは中空部を栓部材で開閉可能に閉塞して中空部への潤滑剤の補給を可能にすることで、より長期に渡ってピンの摩耗を抑制することができ、保持器の更なる寿命延長を図ることができる。
【発明を実施するための最良の形態】
【０００６】
以下、本発明の実施の形態の一例を図を参照して説明する。図１は本発明の第１の実施の形態であるころ軸受を説明するための要部断面図、図２〜図８は本発明の第１の実施の形態であるころ軸受の変形例を説明するための要部断面図、図９は本発明の第２の実施の形態であるころ軸受を説明するための要部断面図、図１０〜図２０は本発明の第２の実施の形態であるころ軸受の変形例を説明するための要部断面図である。なお、各実施の形態及び変形例共に、内外輪の図示は省略し、保持器ところの組立体について説明する。また、既に図２１で説明した従来のころ軸受と重複又は相当する部分については各図に同一符号を付してその説明を省略する。
【０００７】
図１は、本発明の第１の実施の形態であるころ軸受として円筒ころ軸受を例示したもので、軸方向に貫通する貫通孔３を有する複数のころ（円筒ころ）４がピンタイプ保持器１０を介して周方向に転動可能に配設されており、ピンタイプ保持器１０は、ころ４の貫通孔３に挿通されてころ４を回転可能に支持するピン２０と、ころ４の軸方向の両端側に配置されてピン２０の両端部がそれぞれ結合される一対の環状側板７とを備えている。
【０００８】
ピン２０はその先端部が環状側板７にテーパねじ結合されており、ピン２０の頭部は溶接部８によって環状側板７に結合されている。また、ピン２０の頭部と環状側板７との間及びピン２０の頭部と溶接部８との間にはそれぞれ段部が設けられて二段ピン構造とされている。
そして、この実施の形態では、ピン２０の内部に軸方向に貫通する中空部２１を設けると共に、溶接部８にも中空部２１に連通する貫通孔８ａを設けて中空部２１にグリース等の潤滑剤を供給可能としている。また、ピン２０の軸方向の略中央部には、中空部２１に連通すると共にピン２０ところ４の貫通孔３との間に開口する潤滑剤通路２２が径方向外方を向いて設けられている。
【０００９】
これにより、軸受の回転時に中空部２１内の潤滑剤が遠心力により潤滑剤通路２２からピン２０と貫通孔３との間に流出してピン２０の摩耗が抑制され、保持器１０の寿命延長を図ることができる。
また、ピン２０の中空部２１の潤滑剤が不足した場合は、溶接部８の貫通孔８ａから中空部２１に潤滑剤を補給することで、より長期に渡ってピン２０の摩耗抑制効果を維持することができ、保持器１０の更なる寿命延長を図ることができる。
【００１０】
なお、図２〜図８は本発明の第１の実施の形態であるころ軸受の変形例であり、図２はピン２０の頭部と溶接部８との間に段部を設けた一段ピン構造の例であり、図３はピン２０の頭部の周囲に溶接部８を配置すると共に、ピン２０の先端部を環状側板７の外側に固定された溶接ナット２３にねじ結合した例である。また、図４はピン２０の頭部を環状側板７に嵌め込まれたテーパブッシュ２４に嵌合した例である。図５〜図８はころ４を円すいころとした円すいころ軸受に本発明を適用したもので、ピン２０の構造及びピン２０と環状側板７との結合構造については、図５は図２に対応し、図６は図１に対応し、図７は図３に対応し、図８は図４に対応している。
【００１１】
次に、図９を参照して、本発明の第２の実施の形態であるころ軸受を説明する。
図９は、本発明の第２の実施の形態であるころ軸受として円筒ころ軸受を例示したもので、軸方向に貫通する貫通孔３を有する複数のころ（円筒ころ）４がピンタイプ保持器３０を介して周方向に転動可能に配設されており、ピンタイプ保持器３０は、ころ４の貫通孔３に挿通されてころ４を回転可能に支持するピン４０と、ころ４の軸方向の両端側に配置されてピン４０の両端部がそれぞれ結合される一対の環状側板７とを備えている。
ピン４０はその先端部が環状側板７にテーパねじ結合されており、ピン４０の頭部は溶接部８によって環状側板７に結合されている。また、ピン４０の頭部と溶接部８との間には段部が設けられて一段ピン構造とされている。
【００１２】
そして、この実施の形態では、ピン４０の内部に該ピン４０の頭部から軸方向の略中央部にかけて中空部４１を設けると共に、溶接部８にも中空部４１に連通する貫通孔８ａを設けて中空部４１にグリース等の潤滑剤を供給可能とし、且つ貫通孔８ａから挿入可能な栓部材５０が中空部４１の開口端に例えばねじ結合により着脱自在に取り付けられて、中空部４１の開口端が開閉自在に閉塞されている。また、ピン４０の軸方向の略中央部には、中空部４１に連通すると共にピン４０ところ４の貫通孔３との間に開口する潤滑剤通路４２が径方向外方を向いて設けられている。
【００１３】
これにより、軸受の回転時に中空部４１内の潤滑剤が遠心力により潤滑剤通路４２からピン４０ところ４の貫通孔３との間に流出してピン４０の摩耗が抑制され、保持器３０の寿命延長を図ることができる。
また、ピン４０の中空部４１の潤滑剤が不足した場合は、栓部材５０を取り外して溶接部８の貫通孔８ａから中空部４１に潤滑剤を補給することで、より長期に渡ってピン４０の摩耗抑制効果を維持することができ、保持器３０の更なる寿命延長を図ることができる。更に、潤滑剤の補給後は栓部材５０で中空部４１の開口端を閉塞することで潤滑剤の漏れを防ぐことができる。
【００１４】
なお、図１０〜図２０は本発明の第２の実施の形態であるころ軸受の変形例であり、まず、図１０はピン４０の頭部と環状側板７との間及びピン４０の頭部と溶接部８との間にそれぞれ段部を設けた二段ピン構造の例であり、図１１はピン４０の頭部の周囲に溶接部８を配置すると共に、ピン４０の先端部を環状側板７の外側に固定された溶接ナット４３にねじ結合した例である。また、図１２はピン４０の頭部を環状側板７に嵌め込まれたテーパブッシュ４４に嵌合した例である。
【００１５】
図１７〜図２０はころ４を円すいころとした円すいころ軸受に本発明を適用したもので、ピン４０の構造及びピン４０と環状側板７との結合構造については、図１７は図９に対応し、図１８は図１０に対応し、図１９は図１１に対応し、図２０は図１２に対応している。
また、図１３〜図１６はピン４０の中空部４１の開口端をピン４０の先端側に配置した例であり、それ以外の構造については、図１３は図１７に対応し、図１４は図１８に対応し、図１５は図１９に対応し、図１６は図２０に対応している。
【００１６】
なお、本発明のころ軸受の貫通孔、ころ、内輪、外輪、保持器、ピン、環状側板、中空部、潤滑剤通路、栓部材等の構成は上記各実施の形態及び変形例に限定されるものではなく、本発明の要旨を逸脱しない範囲において適宜変更可能である。
例えば、上記各実施の形態及び変形例では、円筒ころ軸受及び円すいころ軸受に本発明を適用した場合を例に採ったが、球面ころ軸受や他のころ軸受に本発明を適用してもよいのは勿論である。
【図面の簡単な説明】
【００１７】
【図１】本発明の第１の実施の形態であるころ軸受を説明するための要部断面図である。
【図２】本発明の第１の実施の形態であるころ軸受の変形例を説明するための要部断面図である。
【図３】本発明の第１の実施の形態であるころ軸受の変形例を説明するための要部断面図である。
【図４】本発明の第１の実施の形態であるころ軸受の変形例を説明するための要部断面図である。
【図５】本発明の第１の実施の形態であるころ軸受の変形例を説明するための要部断面図である。
【図６】本発明の第１の実施の形態であるころ軸受の変形例を説明するための要部断面図である。
【図７】本発明の第１の実施の形態であるころ軸受の変形例を説明するための要部断面図である。
【図８】本発明の第１の実施の形態であるころ軸受の変形例を説明するための要部断面図である。
【図９】本発明の第２の実施の形態であるころ軸受を説明するための要部断面図である。
【図１０】本発明の第２の実施の形態であるころ軸受の変形例を説明するための要部断面図である。
【図１１】本発明の第２の実施の形態であるころ軸受の変形例を説明するための要部断面図である。
【図１２】本発明の第２の実施の形態であるころ軸受の変形例を説明するための要部断面図である。
【図１３】本発明の第２の実施の形態であるころ軸受の変形例を説明するための要部断面図である。
【図１４】本発明の第２の実施の形態であるころ軸受の変形例を説明するための要部断面図である。
【図１５】本発明の第２の実施の形態であるころ軸受の変形例を説明するための要部断面図である。
【図１６】本発明の第２の実施の形態であるころ軸受の変形例を説明するための要部断面図である。
【図１７】本発明の第２の実施の形態であるころ軸受の変形例を説明するための要部断面図である。
【図１８】本発明の第２の実施の形態であるころ軸受の変形例を説明するための要部断面図である。
【図１９】本発明の第２の実施の形態であるころ軸受の変形例を説明するための要部断面図である。
【図２０】本発明の第２の実施の形態であるころ軸受の変形例を説明するための要部断面図である。
【図２１】従来のころ軸受を説明するための要部断面図である。
【符号の説明】
【００１８】
１  内輪
２  外輪
３  貫通孔
４  ころ
７  環状側板
１０，３０  保持器
２０，４０  ピン
２１，４１  中空部
２２，４２  潤滑剤通路
５０  栓部材
【図１】
2006090521.tif 000003
【図２】
2006090521.tif 000004
【図３】
2006090521.tif 000005
【図４】
2006090521.tif 000006
【図５】
2006090521.tif 000007
【図６】
2006090521.tif 000008
【図７】
2006090521.tif 000009
【図８】
2006090521.tif 000010
【図９】
2006090521.tif 000011
【図１０】
2006090521.tif 000012
【図１１】
2006090521.tif 000013
【図１２】
2006090521.tif 000014
【図１３】
2006090521.tif 000015
【図１４】
2006090521.tif 000016
【図１５】
2006090521.tif 000017
【図１６】
2006090521.tif 000018
【図１７】
2006090521.tif 000019
【図１８】
2006090521.tif 000020
【図１９】
2006090521.tif 000021
【図２０】
2006090521.tif 000022
【図２１】
2006090521.tif 000023